(57)【要約】【課題】干渉を防止して、特定の非接触ＩＣカードを確実に認識させることができるＩＣカードスリーブケースを提供すること【解決手段】本発明のＩＣカードスリーブケース１００は、非接触型ＩＣカード９０を収納する収納部１０と、収納部１０の一部に形成された切り欠き部１５とを備えている。収納部１０は、表面側に位置する第１主面部１０ａと、裏面側に位置する第２主面部１０ｂとから構成されている。第１主面部１０ａ及び第２主面部１０ｂは、ＩＣカード９０の寸法に対応した長方形形状を有している。収納部１０の形状を規定する長方形形状の長辺１２及び短辺１４のうちの一方の辺（例えば、長辺１２）は、非接触型ＩＣカード９０が挿入される挿入開口部となっている。第２主面部１０ｂには、電磁波干渉防止シート１８が含まれている。挿入開口部となっている辺（１２）において、切り欠き部１５が形成されている。電磁波干渉防止シート１８は、磁性素材層１８ａと導電層１８ｂとが積層された多層膜から構成されている。導電層１８ｂは、磁性素材層１８ａよりも裏面（８２）側に位置している。第１主面部１０ａ及び第２主面部１０ｂの長方形形状の寸法は、ＩＣカード９０の寸法と同一である。電磁波干渉防止シート１８において、磁性素材層１８ａは、電磁波干渉防止シートの全面に形成されている。【選択図】図１
2021015292.tif 000002
【特許請求の範囲】
【請求項１】
ＩＣカードスリーブケースであって、
非接触型ＩＣカードを収納する収納部と、
前記収納部の一部に形成された切り欠き部と
を備え、
前記収納部は、
表面側に位置する第１主面部と、
前記表面側に対する裏面側に位置する第２主面部と
から構成されており、
前記第１主面部及び前記第２主面部は、前記非接触型ＩＣカードの寸法に対応した長方形形状を有しており、
前記収納部の形状を規定する前記長方形形状の長辺及び短辺のうちの一方の辺は、前記非接触型ＩＣカードが挿入される挿入開口部となっており、
前記裏面側に位置する前記第２主面部には、電磁波干渉防止シートが含まれており、
前記挿入開口部となっている前記辺において、前記切り欠き部が形成されており、
前記電磁波干渉防止シートは、磁性素材層と導電層とが積層された多層膜から構成されており、
前記導電層は、前記磁性素材層よりも前記裏面側に位置しており、
前記第１主面部及び前記第２主面部の前記長方形形状の寸法は、前記非接触型ＩＣカードの寸法と同一であり、
前記電磁波干渉防止シートにおいて、前記磁性素材層は、前記電磁波干渉防止シートの全面に形成されている、ＩＣカードスリーブケース。
【請求項２】
前記電磁波干渉防止シートは、１層の前記磁性素材層と、１層の前記導電層とから構成されており、
前記磁性素材層の端部は、前記電磁波干渉防止シートの端部まで到達している、請求項１に記載のＩＣカードスリーブケース。
【請求項３】
前記導電層は、アルミニウムまたはアルミニウム合金から構成されたアルミ箔であり、
前記電磁波干渉防止シートにおいて、前記磁性素材層と前記導電層との界面は接着面となっている、請求項１または２に記載のＩＣカードスリーブケース。
【請求項４】
前記収納部は、一枚の展開用紙部材から構成されており、
前記第２主面部は、前記電磁波干渉防止シートを挟んで収納するシート挟み部位と連続して繋がっている、請求項１から３の何れか一つに記載のＩＣカードスリーブケース。
【請求項５】
前記第１主面部は、三角形状の差し込みフラップ部と連続して繋がっている、請求項４に記載のＩＣカードスリーブケース。
【請求項６】
前記収納部に収納される前記非接触型ＩＣカードは、クレジットカードおよび交通系ＩＣカードの少なくとも一方である、請求項１から５の何れか一つに記載のＩＣカードスリーブケース。
【請求項７】
前記非接触型ＩＣカードは、ＴｙｐｅＡ／Ｂ方式のクレジットカードであり、
前記収納部は、前記非接触型ＩＣカードのクレジットカード情報を隠すものである、請求項６に記載のＩＣカードスリーブケース。
【請求項８】
前記第１主面部は、前記収納部に収納された前記非接触型ＩＣカードの電磁波を透過させる機能を有し、
前記第２主面部は、前記収納部に収納された前記非接触型ＩＣカードの電磁波を遮断する機能を有し、
前記挿入開口部となっている前記辺を除く辺は塞がっており、
前記切り欠き部は、前記収納部に収納された前記非接触型ＩＣカードの一部を露出させるものであり、
前記切り欠き部は、前記挿入開口部となっている前記辺の中央の位置に形成されている、請求項１から７の何れか一つに記載のＩＣカードスリーブケース。
【請求項９】
前記切り欠き部は、前記長方形形状の前記長辺に形成されている、請求項１から８の何れか一つに記載のＩＣカードスリーブケース。
【請求項１０】
前記切り欠き部は、前記挿入開口部となっている前記辺に形成された台形形状を有している、請求項１から９の何れか一つのＩＣカードスリーブケース。
【請求項１１】
前記収納部における前記切り欠き部によって露出している領域には、文字情報および図形情報の少なくとも一方が記載されている、請求項１から１０の何れか一つに記載のＩＣカードスリーブケース。
【請求項１２】
前記第１主面部および前記第２主面部の少なくとも一方には、文字情報および図形情報の少なくとも一方が記載されている、請求項１から１１の何れか一つに記載のＩＣカードスリーブケース。
【請求項１３】
請求項１から１２の何れか一つに記載のＩＣカードスリーブケースの製造方法であって、
ＩＣカードスリーブケースの収納部を構成する展開用紙部材を用意する工程と、
前記展開用紙部材を折り畳むとともに、電磁波干渉防止シートを挿入する工程と
を含む、ＩＣカードスリーブケースの製造方法。
【発明の詳細な説明】
【技術分野】
【０００１】
本発明は、ＩＣカードスリーブケースに関する。特に、複数枚の非接触ＩＣカードを重ねる場合において、特定の非接触ＩＣカードを確実に認識させることができるＩＣカードスリーブケースに関する。
【背景技術】
【０００２】
Ｆｅｌｉｃａ（フェリカ）（登録商標）等の非接触型ＩＣカードの普及に伴って、複数枚のＩＣカードを所有する人が増えてきている。その結果、複数枚のＩＣカードをカードケースに所持した場合、どのカードが読み出されるのかリーダライタにかざすまでわからなかったり、目的のカードではないカードからお金が引き落とされたりする問題が生じていた。このような事態を防止するためには、カードを使うたびに、カードケースから取り出してリーダライタにかざす手間が必要であった（例えば、特許文献１、２など参照）。【０００３】
また、ＩＣカードの普及に伴って、スキミング防止を目的として、パンチングメタルの金属フィルムをパウチすることによって作られたＩＣカードプロテクタが提供されて普及している。この金属フィルムを２枚のＩＣカードの間に挟むことにより、金属フィルムから上にあるＩＣカードを、シールド効果で見えなくすることができる。しかしながら、金属フィルムの下（リーダライタ側）にあるＩＣカードも、金属フィルムによる反射で見えなくなってしまうため、複数のＩＣカード間の緩衝防止に有効な手段とはいえない。【０００４】
このような問題を解決するために、特許文献１に開示された非接触型ＩＣカードホルダーでは、導電性の金属フィルムを磁性層で挟むことで、金属層のシールド効果に磁性層による金属遮蔽効果を加え、所望のＩＣカードの読み出しや書き込みを可能にするともに、その際に他のＩＣカードへ影響を与えないようにするという効果を実現している。【０００５】
しかしながら、特許文献１に開示された非接触型ＩＣカードホルダーの構造において、再現性良く、誤読み取りが起こらないようにする上で、効果係数を上げなければいけないが、当該効果係数は、磁性層の透過率の平方根と磁性層の厚みの積に比例するため、透過率の高い磁性体を厚く設けなければならない。それゆえに、磁性層の薄膜化・低透磁率化ができないという不都合がある。その不都合を解消する上で、特許文献２において、ＩＣカードセパレータ及びＩＣカードケースが提案されている。【０００６】
特許文献２に開示されたＩＣカードセパレータ及びＩＣカードケースを、図２０に示す。図２０に示したＩＣカードセパレータ１１０は、カードケース１２０の収納部１２２及び１２６に収納された非接触型ＩＣカード１２４及び１２８の間に配置される。【０００７】
さらに説明すると、ＩＣカードセパレータ１１０は、２枚の非接触型ＩＣカード１２４及び１２８の間に配置され、これらのＩＣカード１２４及び１２８の間の干渉を防止する。ＩＣカードセパレータ１１０は、導電性の金属層と、その金属層の両主面に設けられた一対の誘電体層と、その一対の誘電体層のＩＣカード側の主面に設けられた一対の磁性層とから構成されている。そして、ＩＣカードセパレータ１１０は、誘電体層の比誘電率が２以上であって、誘電体層の厚みが１０μｍ以上１００μｍ以下であることを特徴としている。このような構成をＩＣカードセパレータ１１０が有していることにより、磁性層及び誘電体層による遮蔽効果が得られ、その結果、磁性層の薄膜化・低透磁率化を実現しながら、非接触型ＩＣカード間の干渉を防止することができるという効果が得られる。
【先行技術文献】
【特許文献】
【０００８】
【特許文献１】特許第３６３０００６号公報
【特許文献２】特開２０１１−１３８８３号公報
【発明の概要】
【発明が解決しようとする課題】
【０００９】
特許文献２に開示されたＩＣカードセパレータ１１０は、非接触型ＩＣカード（１２４、１２６）間の干渉を防止することができるかもしれないが、本願発明者の検討によると、ＩＣカードセパレータがずれると、干渉を防止することができない事例が生じることがわかった。すなわち、ＩＣカードセパレータの問題は、どのような磁性層や誘電体層の構造にするかどうかよりも、ＩＣカードセパレータを挿入していたにも拘わらず、非接触型ＩＣカード間の干渉を防止することができないことも大きな問題である。【００１０】
特に、高性能を謳っているＩＣカードセパレータを使用する場合は、ＩＣカードセパレータが適切な位置に配置されているときは、非接触型ＩＣカード間の干渉を防止できるので問題がない。その一方で、その高性能のＩＣカードセパレータがずれて配置されたときは、非接触型ＩＣカード間の干渉を防止することができない事例が発生する。この非接触型ＩＣカード間の干渉を防止できたり、防止できなかったりするのが、ユーザにとって一番困る問題であり、そのＩＣカードセパレータが不良品であるかどうかの判別を行うこともとても難しく、そして、現実的な問題として、ユーザではＩＣカードセパレータの性能を試験できない。【００１１】
また、ユーザにはいろんな人がいるのが実情で、説明書において、ＩＣカードセパレータの配置位置をしっかり説明していたとしても、その正確な位置をおおよそに理解する人もいれば、そもそも、説明書を読まない人もいる。そして、高性能のＩＣカードセパレータを使用した状態で、非接触型ＩＣカードの読み込みに一度はともかく、数回失敗したとしたら、ユーザは、そのＩＣカードセパレータの性能を疑い、それを使用しなくなる可能性が極めて高い。【００１２】
そのような中、本願発明者は、複数枚の非接触ＩＣカードを重ねる場合において、特定の非接触ＩＣカードを確実に認識させることができるＩＣカードスリーブケースの開発に成功し、本発明に至った。本発明はかかる点に鑑みてなされたものであり、その主な目的は、干渉を防止して、特定の非接触ＩＣカードを確実に認識させることができるＩＣカードスリーブケースを提供することにある。
【課題を解決するための手段】
【００１３】
本発明に係るＩＣカードスリーブケースは、非接触型ＩＣカードを収納する収納部と、前記収納部の一部に形成された切り欠き部とを備えている。前記収納部は、表面側に位置する第１主面部と、前記表面側に対する裏面側に位置する第２主面部とから構成されている。前記第１主面部及び前記第２主面部は、前記非接触型ＩＣカードの寸法に対応した長方形形状を有している。前記収納部の形状を規定する前記長方形形状の長辺及び短辺のうちの一方の辺は、前記非接触型ＩＣカードが挿入される挿入開口部となっている。前記裏面側に位置する前記第２主面部には、電磁波干渉防止シートが含まれている。前記挿入開口部となっている前記辺において、前記切り欠き部が形成されている。前記電磁波干渉防止シートは、磁性素材層と導電層とが積層された多層膜から構成されている。導電層は、前記磁性素材層よりも前記裏面側に位置している。前記第１主面部及び前記第２主面部の前記長方形形状の寸法は、前記非接触型ＩＣカードの寸法と同一である。前記電磁波干渉防止シートにおいて、前記磁性素材層は、前記電磁波干渉防止シートの全面に形成されている。【００１４】
ある好適な実施形態において、前記電磁波干渉防止シートは、１層の前記磁性素材層と、１層の前記導電層とから構成されている。前記磁性素材層の端部は、前記電磁波干渉防止シートの端部まで到達している。【００１５】
ある好適な実施形態において、前記導電層は、アルミニウムまたはアルミニウム合金から構成されたアルミ箔である。前記電磁波干渉防止シートにおいて、前記磁性素材層と前記導電層との界面は接着面となっている。【００１６】
本発明に係る他のＩＣカードスリーブケースは、非接触型ＩＣカードを収納する収納部と、前記収納部の一部に形成された切り欠き部とを備えている。前記収納部は、表面側に位置する第１主面部と、前記表面側に対する裏面側に位置する第２主面部とから構成されている。前記第１主面部及び前記第２主面部は、前記非接触型ＩＣカードの寸法に対応した長方形形状を有している。前記収納部の形状を規定する前記長方形形状の長辺及び短辺のうちの一方の辺は、前記非接触型ＩＣカードが挿入される挿入開口部となっている。前記裏面側に位置する前記第２主面部には、電磁波干渉防止シートが含まれている。前記挿入開口部となっている前記辺において、前記切り欠き部が形成されている。【００１７】
ある好適な実施形態において、前記第１主面部は、前記収納部に収納された非接触型ＩＣカードの電磁波を透過させる機能を有する。前記第２主面部は、前記収納部に収納された前記非接触型ＩＣカードの電磁波を遮断する機能を有する。前記挿入開口部となっている前記辺を除く辺は塞がっている。前記切り欠き部は、前記収納部に収納された前記非接触型ＩＣカードの一部を露出させるものである。前記切り欠き部は、前記挿入開口部となっている前記辺の中央の位置に形成されている。【００１８】
ある好適な実施形態において、前記切り欠き部は、前記収納部に収納された前記非接触型ＩＣカードのカード情報が印字されていない領域を露出させるように形成されている。【００１９】
ある好適な実施形態において、前記切り欠き部は、前記長方形形状の前記長辺に形成されている。【００２０】
ある好適な実施形態において、前記切り欠き部は、前記挿入開口部となっている前記辺に形成された台形形状を有している。【００２１】
ある好適な実施形態において、前記切り欠き部は、前記挿入開口部となっている前記辺対して斜めに延びる傾斜線部と、前記辺に対して平行に延びる平行線部とから形成されている。【００２２】
ある好適な実施形態において、前記切り欠き部は、湾曲線部によって形成されている。【００２３】
ある好適な実施形態では、前記収納部における前記切り欠き部によって露出している領域には、文字情報および図形情報の少なくとも一方が記載されている。【００２４】
ある好適な実施形態において、前記第１主面部および前記第２主面部の少なくとも一方には、文字情報および図形情報の少なくとも一方が記載されている。【００２５】
ある好適な実施形態において、前記収納部は、一枚の展開用紙部材から構成されている。前記第２主面部は、前記電磁波干渉防止シートを挟んで収納するシート挟み部位と連続して繋がっている。【００２６】
ある好適な実施形態において、前記第１主面部は、三角形状の差し込みフラップ部と連続して繋がっている。【００２７】
ある好適な実施形態において、前記収納部に収納される前記非接触型ＩＣカードは、クレジットカードおよび交通系ＩＣカードの少なくとも一方である。なお、前記非接触型ＩＣカードは、後払いの機能のカード（所謂クレジットカード）の他、デビットカード（即時払い）、プリペイドカード（先払い、チャージ式）のものであり得る。【００２８】
ある好適な実施形態において、前記非接触型ＩＣカードは、ＴｙｐｅＡ／Ｂ方式のクレジットカードである。前記収納部は、前記非接触型ＩＣカードのクレジットカード情報を隠すものである。【００２９】
発明に係る収納ケースは、モバイル機器の収納ケースであり、モバイル機器を収納する収納部と、前記収納部の一部に形成された切り欠き部とを備えている。前記収納部は、表面側に位置する第１主面部と、前記表面側に対する裏面側に位置する第２主面部とから構成されている。前記第１主面部及び前記第２主面部は、前記モバイル機器の寸法に対応した長方形形状を有している。前記収納部の形状を規定する前記長方形形状の長辺及び短辺のうちの一方の辺は、前記モバイル機器が挿入される挿入開口部となっている。前記裏面側に位置する前記第２主面部には、電磁波干渉防止シートが含まれている。前記挿入開口部となっている前記辺において、前記切り欠き部が形成されている。【００３０】
ある好適な実施形態において、前記第１主面部は、前記収納部に収納された前記モバイル機器の電磁波を透過させる機能を有する。前記第２主面部は、前記収納部に収納された前記非接触型ＩＣカードの電磁波を遮断する機能を有する。前記挿入開口部となっている前記辺を除く辺は塞がっている。前記切り欠き部は、前記収納部に収納された前記モバイル機器の一部を露出させるものである。前記切り欠き部は、前記挿入開口部となっている前記辺の中央の位置に形成されている。【００３１】
ある好適な実施形態において、電磁波を発する前記モバイル機器は、スマートフォンであり、前記収納部における前記切り欠き部によって露出している領域には、文字情報および図形情報の少なくとも一方が記載されている。【００３２】
本発明に係る製造方法は、上記のＩＣカードスリーブケースの製造方法であり、ＩＣカードスリーブケースの収納部を構成する展開用紙部材を用意する工程と、前記展開用紙部材を折り畳むとともに、電磁波干渉防止シートを挿入する工程とを含む。
【発明の効果】
【００３３】
本発明に係るＩＣカードスリーブケースによれば、非接触型ＩＣカードを収納する収納部が、非接触型ＩＣカードの寸法に対応した長方形形状を有する第１主面部及び第２主面部から構成されており、そして、第２主面部に電磁波干渉防止シートが含まれていることから、特定の非接触型ＩＣカードを収納部に入れておけば、電磁波干渉防止シートが位置ずれすることなく、非接触型ＩＣカードの干渉を抑制することができて、特定の非接触型ＩＣカードの読み取りを確実に安心して行うことができる。また、収納部を構成する第１主面部に切り欠き部が形成されていることから、ユーザが指で非接触型ＩＣカードを出し入れすることが容易になるとともに、第１主面部のうちの切り欠き部以外の領域で、非接触型ＩＣカードのカード情報が見られないようにすることができて、セキュリティの面でも利点がある。加えて、電磁波干渉防止シートによって非接触型ＩＣカードを電磁的に保護することができ、犯罪的なスキャニングから、非接触型ＩＣカードを保護することができる効果がある。【００３４】
本発明に係るＩＣカードスリーブケースでは、電磁波干渉防止シートが、磁性素材層と導電層とが積層された多層膜から構成されており、導電層は磁性素材層よりも裏面側に位置し、第１主面部及び第２主面部の長方形形状の寸法が非接触型ＩＣカードの寸法と同一であり、電磁波干渉防止シートにおいて、磁性素材層は、電磁波干渉防止シートの全面に形成されている。したがって、磁性素材層が介在することで磁束の抜け道ができることにより、特定の非接触型ＩＣカードの読み取りを確実に行うことができる。さらに、電磁波干渉防止シートにおける磁性素材層の端部が電磁波干渉防止シートの端部まで到達している構成の場合は、Ｆｅｌｉｃａ方式よりも読み取り精度の悪いＴｙｐｅＡ／Ｂ方式の非接触型ＩＣカード／カードリーダに使っても、磁性素材層が介在することによる磁束の抜け道ができることによって、確実に、非接触決済を成功させることができる。
【図面の簡単な説明】
【００３５】
【図１】本発明の実施形態に係るＩＣカードスリーブケース１００の構成を示す正面図である。
【図２】本発明の実施形態に係るＩＣカードスリーブケース１００の構成を示す背面図である。
【図３】ＩＣカードスリーブケース１００に含まれている電磁波干渉防止シート１８を説明するための図である。
【図４】ＩＣカードスリーブケース１００の展開図である。
【図５】ＩＣカードスリーブケース１００に非接触型ＩＣカード９０（９０Ａ、９０Ｂ）を挿入する様子を示す図である。
【図６】ＩＣカードスリーブケース１００の改変例を示す正面図である。
【図７】ＩＣカードスリーブケース１００の改変例を示す正面図である。
【図８】ＩＣカードスリーブケース１００の改変例の展開図である。
【図９】ＩＣカードスリーブケース１００における電磁波干渉防止シート１８を配置した様子を示す図である。
【図１０】電磁波干渉防止シート１８を説明するための平面図である。
【図１１】電磁波干渉防止シート１８を説明するための断面図である。
【図１２】電磁波干渉防止シート１８を説明するための分解図である。
【図１３】電磁波干渉防止シート１８を説明するための平面図である。
【図１４】電磁波干渉防止シート１８を説明するための断面図である。
【図１５】電磁波干渉防止シート１８の構成を模式的に説明するための斜視図ある。
【図１５】電磁波干渉防止シート１８（１８ａ、１８ｂ）の構成を模式的に示す図である。
【図１６】非接触型ＩＣカード９０を、カードリーダ９５に近づけた様子（読み書き、通信）を示す模式図である。
【図１７】導電層（金属層）１８ｂを背面に配置した非接触型ＩＣカード９０を、カードリーダ９５に近づけた様子（読み書き、通信）を示す模式図である。
【図１８】本実施形態の電磁波干渉防止シート１８（１８ａ、１８ｂ）を背面に配置した非接触型ＩＣカード９０を、カードリーダ９５に近づけた様子（読み書き、通信）を示す模式図である。
【図１９】非接触型ＩＣカード９０をＩＣカードスリーブケース１００に入れた状態で財布６０のカード収納箇所６２に収納した様子を示した図である。
【図２０】従来のＩＣカードセパレータ１１０およびカードケース１２０を示す斜視図である。
【発明を実施するための形態】
【００３６】
本願発明者は、従来のＩＣカードセパレータを用いて非接触型ＩＣカードの干渉を防止する際には、ＩＣカードセパレータがずれると誤作動が生じることをなんとかできないかを検討していた。特に、交通系の非接触型ＩＣカードと、もう一枚の別の非接触型ＩＣカードとを、従来のＩＣカードセパレータを挟んで使用する場合、改札にかざす時に読み取りの誤作動が生じることがある。この場合、ＩＣカードセパレータが不良品であるか、あるいは、他の要因が影響しているかがわからずに、ユーザをイライラさせることがあるという問題があった。
【００３７】
そして、今日においては、クレジットカードも、非接触型ＩＣカードのものが普及しており、犯罪的なスキャン（スキャナによるクレジットカード情報の読み取り）の被害も拡大している。加えて、クレジットカードの表面には氏名、有効期限、カード番号が書いてあるとともにクレジットカードの裏面にはセキュリティーコードが書いてあることから、決済時においてクレジットカードを手渡しする際にそれらの情報を覚えられてしまうと（または、機械的にスキャンされてしまうと）、そのクレジットカードは、本人以外でも使用されてしまう状況におかれてしまうため、手渡しすることは極めて危険性が高く、そしてクレジットカードの不正使用によって犯罪にも巻き込まれる可能性がでてくる。
【００３８】
そのような中、本願発明者は、非接触型ＩＣカードの干渉防止を行いながら、クレジットカードのセキュリティを高めることができ、それを簡便に、安価に行うことができる手法がないかを日々検討した結果、本発明に至った。
【００３９】
以下、図面を参照しながら、本発明の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、必ずしも実際の寸法関係を正確に反映していない場合がある。ただし、図１から図４のように、各図において寸法関係を一致させているものもあり、その場合は、各図の寸法・位置関係から、六面図（厚さは省略）を導き出すことが可能である。
【００４０】
また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００４１】
図１は、本発明の実施形態に係るＩＣカードスリーブケース１００の正面構成を示している。図２は、本実施形態のＩＣカードスリーブケース１００の背面構成を示している。また、図３は、ＩＣカードスリーブケース１００に含まれている電磁波干渉防止シート１８の構成を示している。
【００４２】
本実施形態のＩＣカードスリーブケース１００は、ＩＣカードを収納する収納部（または、スリーブ部、袋部）１０から構成されている。本実施形態のＩＣカードは、非接触型ＩＣカードであり、例えば、交通系ＩＣカード（Ｓｕｉｃａ、ＰＡＳＭＯ、ＩＣＯＣＡなど）であり、あるいは、クレジットカード（例えば、アメリカンエキスプレス（登録商標））である。非接触型ＩＣカードは、例えば、Ｆｅｌｉｃａカード（商品名）であり、非接触型ＩＣカードには、ＩＣチップ（例えば、Ｆｅｌｉｃａチップ（商品名））が搭載されている。非接触型ＩＣカードは、後払いのクレジットカード、即時払いのデビットカード、先払いのプリペイドカード（又は、チャージ式のもの）のいずれであってもよく、これらのもの（後払い、即時、先払い）を便宜上、どれもクレジットカードと称してもよい。非接触型ＩＣカードをＩＣカードリーダ装置にかざすと、キャリアを送信して電磁誘導によって非接触型ＩＣカードに電力を供給して、キャリアの変調によって両者の間で通信を行うことができる。また、非接触型ＩＣカードは、交通系ＩＣカードおよびクレジットカードが両方搭載されたものもあり、そして、電子マネー（ポイント、または、仮想通貨などを含む）を決済するもの（Ｔポイント、楽天ポイント、楽天Ｅｄｙなど）もある。また、非接触型ＩＣカードであれば、クレジットカードに限らず、デビットカードまたは銀行（キャッシュカード）などのカードであってもよい。本実施形態のＩＣカードスリーブケース１００に収納したい非接触型ＩＣカードは、特に、クレジットカード、交通系ＩＣカードである。
【００４３】
なお、非接触型ＩＣカードは、例えば、Ｆｅｌｉｃａカード（商品名）でなくても、他の方式のものであっても構わない。具体的には、非接触型ＩＣカードは、例えば、ＴｙｐｅＡ／Ｂ方式のＩＣカード（ＴｙｐｅＡ／ＢのＩＣカード）である。なお、Ｆｅｌｉｃａカード（商品名）は、日本で普及している方式のものであり、ＴｙｐｅＡ／ＢのＩＣカードは、世界で普及している方式のもの（ＮＦＣ  ＴｙｐｅＡ／Ｂ規格に対応したもの）である。近年のインバウンド需要の高まりにより、日本においても、ＴｙｐｅＡ／ＢのＩＣカードに対応した読み取り端末（カードリーダ）が普及しつつある。日本でも、ＴｙｐｅＡ／Ｂ方式に対応したものとしては、三井住友カード、イオンカード、JALカード、dカード、ライフカード、ジャックスカードなどがＶｉｓａのタッチ決済を搭載したカードを発行しており、このほか、Mastercard、JCB、American Expressでも、ＴｙｐｅＡ／Ｂ方式に対応したカードを発行している。また、ＴｙｐｅＡ／Ｂのタッチ決済に対応している主な店舗としては、マクドナルド、ローソン、ドトールコーヒー、HUB（英国風パブ）、ゼンショーグループ（すき家、はま寿司など）、Japan Taxi、文教堂（書店）、TSUTAYA、メガネストアーなどをあげることができる。Ｆｅｌｉｃａ方式とＴｙｐｅＡ／Ｂ方式には通信速度に大きな違いがあり、ＴｙｐｅＡ／Ｂ方式は４２４ｋｂｐｓという通信速度に対し、Ｆｅｌｉｃａ方式は最大通信速度８４７ｋｂｐｓと倍以上の速さを有しているとう利点がある。これが、迅速な決済が求められる日本の交通機関でのニーズに合致したことが、日本でＦｅｌｉｃａが普及した一因となっている一方で、ＴｙｐｅＡ／ＢはＦｅｌｉｃａと比べると読み取り端末の設置コストが安価ですむという利点がある。通信速度ではＦｅｌｉｃａに及ばないものの、店舗での決済では、日本の通勤ラッシュに耐えるほどの通信速度は不要であるので、このような事情からＴｙｐｅＡ／Ｂの国際的な普及につながっている。
【００４４】
本実施形態の収納部１０には、切り欠き部１５が形成されている。収納部１０に非接触型ＩＣカードを収納することができ、そして、この切り欠き部１５で露出している箇所によって、非接触型ＩＣカードを簡単に指で取り出すことができる。また、本実施形態の収納部１０は、表面側に位置する第１主面部１０ａと、表面側に対する裏面側に位置する第２主面部１０ｂとから構成されている。そして、第１主面部１０ａと第２主面部１０ｂとの間（隙間）は、カード挿入隙間（カード収納領域）１５となる。
【００４５】
収納部１０を構成する第１主面部１０ａ及び第２主面部１０ｂは、非接触型ＩＣカードの寸法に対応した長方形形状を有している。本実施形態の構成において、収納部１０（すなわち、第１主面部１０ａ及び第２主面部１０ｂ）の長辺の寸法Ｗは、ＩＣカードの寸法にあわせて、８７ｍｍにしてある。そして、短辺Ｌの長さは、ＩＣカードの寸法にあわせて、５５ｍｍにしてある。なお、ＩＣカード（クレジットカード、キャッシュカード、Ｓｕｉｃａなど）の寸法は、ＩＳＯ／ＪＩＳ規格により、長辺（Ｗ）８５．６ｍｍで、短辺（Ｌ）５４．０ｍｍ、厚さ０．７６ｍｍである。そのＩＣカードの寸法にあわせて、本実施形態の収納部１０の寸法は決められており、具体的には、ＩＣカードが収納部１０内にスムーズに入るとともに、収納部１０内でズレないような寸法にしてある。言い換えると、第１主面部１０ａ及び第２主面部１０ｂの長方形形状の寸法は、ＩＣカードの寸法と同一である。厳密には、第１主面部１０ａ及び第２主面部１０ｂの厚さ（例えば、スリーブ素材の厚さ約０．１ｍｍ）のぶんはほんの少しだけ大きさがあるが、それを含めて、本実施形態の構成ではＩＣカードの寸法と同一と称している。なお、第１主面部１０ａ及び第２主面部１０ｂ（収納部１０）がＩＣカードの寸法よりも一回り大きいものや、ＩＣカードの寸法よりも一回り大きくする領域（例えば、縫い合わせ部、融着部、いわゆる「マチ」）のようなものがないことが好ましい。すなわち、第１主面部１０ａ及び第２主面部１０ｂの長方形形状の寸法は、ＩＣカードの寸法と同一であることが好ましい。
【００４６】
なお、本実施形態における「長方形形状」とは、幾何学的な長方形に限らず、角が丸くなっているようなものでもよく、実質的に長方形であればよい。特に、ＩＣカードの角は丸くなっているので、そのような形状にあわせても構わない。また、ＩＣカードが収納部１０でズレないように、ＩＣカードを収納する収納部１０の内部領域が長方形形状であれば、収納部１０（第１主面部１０ａ及び第２主面部１０ｂ）の外側のエッジは、直線でなくてもよい場合もあり得る。
【００４７】
本実施形態の収納部１０の形状を規定する長方形形状の長辺（１２、１３）の一方の辺１２は、ＩＣカードが挿入される挿入開口部となっている。挿入開口部となっている長辺１２において、切り欠き部１５が形成されている。本実施形態の構成では、第１主面部１０ａに切り欠き部１５が形成されており、そして、第２主面部１０ｂには切り欠き部１５は形成されていない。また、長方形形状の長辺１２は、挿入開口部となっており塞がっていないが、長方形形状の長辺１３および両短辺１４は塞がっている。したがって、ＩＣカードは、収納部１０の挿入開口部（長辺１２）から挿入することができるとともに、長方形形状の長辺１３および両短辺１４は塞がっているので、収納部１０から抜け出ることはない。また、収納部１０に収納したＩＣカードは、切り欠き部１５に露出した部分を指で掴んで、収納部１０の挿入開口部（長辺１２）から外に取り出すことができる。
【００４８】
図示した例の切り欠き部１５は、切り込み線１１によって規定されている。切り込み線１１は、長方形形状の長辺１２に対して斜めに延びる傾斜線部１１ａと、長辺１２に対して平行に延びる平行線部１１ｂとから形成されている。また、切り欠き部１５は、長方形形状の長辺１２の中央に位置している。本実施形態の切り欠き部１５は、収納部１０に収納されたＩＣカードの一部を露出させるものである。そして、切り欠き部１５は、ＩＣカードのカード番号や氏名などの情報は表示させないような位置に形成されている。なお、本実施形態の切り欠き部１５の切り欠き形状は、台形形状（または、実質的に台形形状）をしている。これは、カードを判別すると共に指でカードをつまみやすいような形状にしたことによるものである。なお、切り欠き部１５の切り欠き形状は、他の形状でもよく、例えば、曲線形状（円弧形状、または、楕円の一部の湾曲線など）であってもよい。また、切り欠き部１５は、カードを取りやすいように（掴みやすいように）長辺１２の中央に設けることが好ましいが、中央以外の場所にずらしても構わない。
【００４９】
本実施形態のＩＣカードスリーブケース１００（収納部１０）は、図３に示すような、電磁波干渉防止シート１８を備えている。本実施形態の構成では、裏面側に位置する第２主面部１０ｂに、電磁波干渉防止シート１８が含まれるようにしている。本実施形態の電磁波干渉防止シート１８の寸法は、第２主面部１０ｂの寸法よりも一回り小さくしている（例えば１ｍｍ（又はそれ未満）小さくしている）。具体的には、電磁波干渉防止シート１８の長辺（Ｗａ）８６ｍｍで、短辺（Ｌ）５４．０ｍｍである。また、電磁波干渉防止シート１８は、防磁シールド素材からなるシート材（特に、対応周波数１３．５６ＭＨｚに対応する防磁シールド素材）であり、軟磁性材料を含むものである。例えば、防磁シールド素材としては、ニッケル、銅、フェライトを主成分とする軟磁性材料などを使用することができ、それと樹脂をあわせてシート状にしたものを使用することができる。ただし、他の成分の防磁シールド素材（例えば、鉄を主成分とするもの等）を使用してもよいし、電磁波干渉防止シート１８はシールド特性が発揮できるものであれば、適宜好適なものを採用することができる。鉄を主成分とするものは、磁気シールドシートと称されることもあり、これも本実施形態の電磁波干渉防止シート１８の一例として含まれる。本実施形態の電磁波干渉防止シート１８としての磁気シールドシートは、主な素材を鉄とし、その鉄で磁力を吸収する機能を有する。吸収されて素材内部に保持された分だけ（外部の）磁力が弱まる。また、磁気シールドシートでの磁力吸収によって、クレジットカード等の磁気ストライプ機能を守る程度まで減磁させることが可能となる。
【００５０】
本実施形態の収納部１０は、樹脂材料を含む合成紙から構成されており、具体的には、ポリエステル系合成紙を材料して用いている。ポリエステル系合成紙（例えば、クリスパー（商品名））は、電磁波をスムーズに通すという特性に加えて、耐熱性、耐水性、耐薬品性、耐候性に優れており、破れにくいという優れた特性を有する。また、合成紙（ポリエステル系合成紙）にマットラミネート加工を施すことにより、印字の剥げを防止することがき、加えて、ボールペンによる書き込みを行うことができるようにすることができる。また、合成紙としては、ポリエステル系合成紙の他、ユポ紙（ポリプロピレンを主原料とするフィルム法合成紙）を用いることができる。さらには、収納部１０を構成する材料としては、合成紙に限らず、電磁波をスムーズに透過させる材料であれば、適宜好適な材料（人工合成材料、天然材料など）を使用しても構わない。
【００５１】
本実施形態の構成では、収納部１０が電磁波をスムーズに透過させる材料（例えば、合成紙）から構成されているので、第１主面部１０ａは、収納部１０に収納されたＩＣカードの電磁波を透過させる機能（パス）を有する。一方、第２主面部１０ｂには電磁波干渉防止シート１８が設けられているので、第２主面部１０ｂは、収納部１０に収納されたＩＣカードの電磁波を遮断する機能（ガード）を有している。なお、第１主面部１０ａを電磁波遮断面（ガード面）にして、第２主面部１０ｂを電磁波透過面（パス面）にすることも可能である。
【００５２】
また、本実施形態の構成では、収納部１０に印刷することが容易であるので、第１主面部１０ａおよび第２主面部１０ｂの少なくとも一方には、印字情報２０・２５（文字情報、図形情報）が記載されている。図示した例では、第１主面部（正面）１０ａに情報２０が印字されている。具体的には、落とした時（または、救援をしてもらう時）の緊急時連絡番号の文字２１、その連絡先の電話番号２２、ＩＤ番号２３が記載されている。また、図形情報（キャラクター、ロゴ、広告情報）２４として、キャラクター（ブランド）２４ａ、および、広告情報（広告主、主宰または協賛・後援会社など）２４ｂが印字されている。さらに、第２主面部（裏面）１０ｂに情報２５が印字されており、具体的には、ユーザの個人的な記入事項の欄がある。ここでは、過去にかかった病気２５ａ、治療中の病気２５ｂ、常用薬／食物・薬物アレルギー２５ｃの欄がある。本実施形態の構成では、収納部１０の表面にボールペンで書くことができる処理（マットラミネート加工）が施されているので、ユーザ（または代筆者）は、欄２５ａ〜２５ｃを書き込み、万が一の時に適切な処理を受けることができるように予め備えておくことができる。また、署名欄２６および説明文２７も印字されている。
【００５３】
図１及び図２に示した印字例は、緊急時の連絡についての情報が多いが、これは、ユーザに万が一の時（病気、発作、気を失う等）において、交通系ＩＣカード（Ｓｕｉｃａなど）や貴重品であるクレジットカードを保持している可能性が高いことに起因している。すなわち、ユーザに何かがあった時に、その周囲にいる人は、そのＩＣカード（非接触型ＩＣカード）を入れているＩＣカードスリーブケース１００に記載されている情報（印字情報２０、２４または記入情報）を見れば、すぐに緊急連絡先に連絡をとって、さらに、そのユーザの病歴などを踏まえて適切な処理を行うことができる。なお、そのような緊急時の連絡情報を主とするのではなく、広告情報などを主として記載してもよいし、印字の情報をメインとするのではなく、ボールペンなどでの書き込みの情報をメインにしたものであってもよい。また、印字や記載を一切せずに、空白のままであっても構わない。
【００５４】
本実施形態のＩＣカードスリーブケース１００は、図１に示した第１主面部１０ａと、図２に示した第２主面部１０ｂ（電磁波干渉防止シート１８を含む）とを貼り合わせること（すなわち、辺１３、１４を密着させること）によって作製することができる。第２主面部１０ｂの内部に電磁波干渉防止シート１８を配置するのは、電磁波干渉防止シート１８を２枚のシートで挟みこんで第２主面部１０ｂを作製する手法や、袋状の第２主面部１０ｂの中に電磁波干渉防止シート１８を挿入して封をする手法、電磁波干渉防止シート１８の機能を持った第２主面部１０ｂを使用する手法などがある。さらには、そのような手法とは別に、図４に示すような展開図を折り畳んで、ＩＣカードスリーブケース１００を作製する手法もある。
【００５５】
図４は、収納部１０の展開図を示している。本実施形態の収納部１０は、一枚の展開用紙部材から構成されている。第２主面部１０ｂは、電磁波干渉防止シート１８を挟んで収納するシート挟み部位１９と連続して繋がっている。シート挟み部位１９の幅Ｗ１（８４ｍｍ）は、折り畳みやすい（組立やすい）ように、図１に示した幅Ｗ（８７ｍｍ）よりも少し短くしている。すなわち、シート挟み部位１９は、幅Ｗから幅Ｗ１へ向かってテーパー形状にしている。
【００５６】
また、第１主面部１０ａには、三角形状の差し込みフラップ部１６が連続して繋がっている。この差し込みフラップ部１６は、ＩＣカードの挿入時の接着部の剥がれ防止の機能を有している。差し込みフラップ部１６は、左右の一対で、長辺１２の両側に設けられている。差し込みフラップ部１６は、三角形状の角度θは例えば３０°〜４５°で（図示した例では３７°）、三角形上の先端は丸くされている。差し込みフラップ部１６の長さＬ３は、例えば３２ｍｍ（±５ｍｍ）である。また、切り欠き部１５の寸法（幅）を規定する幅Ｗ２は、例えば３０ｍｍ（±５ｍｍ）である。加えて、側面（端辺）側の貼付部（のりしろ）１７は、第２主面部１０ｂの短辺（１４）から両サイドに延びており、幅Ｌ１は４５ｍｍ（幅Ｌ２は５５ｍｍ）である。すなわち、貼付部（のりしろ）１７は折り畳みやすいようにテーパー状に形成されている。
【００５７】
図４に示した展開図を組立て、第２主面部１０ｂとシート挟み部位１９とで電磁波干渉防止シート１８を挟んで固定し、所定箇所（１６、１７）で接着を行うと、本実施形態のＩＣカードスリーブケース１００が得られる。この手法によると、一枚の展開用紙部材から、収納部（スリーブ部）１０、そしてＩＣカードスリーブケース１００を作製できるので、便利である。また、図４に示した展開図を、切り抜き（打ち抜き）などで大量に用意しておけば、その後、必要な枚数のＩＣカードスリーブケース１００をその都度作製することができるメリットがある。なお、展開図は、図４に示したものに限らず、改変したものであっても構わない。
【００５８】
図５は、本実施形態のＩＣカードスリーブケース１００に、特定の非接触型ＩＣカード９０Ａ（９０）を挿入するとともに、他の非接触型ＩＣカード９０Ｂ（９０）をＩＣカードスリーブケース１００の裏側に配置した様子を示している。その状態で、ＩＣカードリーダ装置（リーダライタ）に近接させると、表面側（第１主面部１０ａ側）に位置する非接触型ＩＣカード９０Ａの通信が行われて、決済処理などの手続が完了する。一方、裏面側（第２主面部１０ｂ側）に近接して配置（または重ねて配置）されていた非接触型ＩＣカード９０Ｂは、電磁波干渉防止シート１８によってシールドされるため干渉を起こさない。特に、本実施形態の構成では、ＩＣカードスリーブケース１００に入れるだけで、電磁波干渉防止シート１８の位置ずれなどが起こらずに、確実に特定の非接触型ＩＣカード９０Ａを選択して処理を行うことができる。なお、他のＩＣカード（隣接するＩＣカード）のアンテナ部（カード内に内蔵されているコイル状に配線されたアンテナ部）がおよそ１／３以上露出していると干渉するおそれがあるが、本実施形態の構成によれば、そのような配置にならないようにすることができる。
【００５９】
本実施形態のＩＣカードスリーブケース１００に非接触型ＩＣカード９０Ａを入れた状態において、さらに、カードケース、定期入れ、財布などに入れても構わない。本実施形態の収納部１０は、耐久性に優れた材料から構成した薄型のスリーブ部材であるので、カードケース、定期入れ、財布などに簡単に入れることができる。
【００６０】
本実施形態のＩＣカードスリーブケース１００では、非接触型ＩＣカード９０を収納する収納部１０が、非接触型ＩＣカード９０の寸法に対応した長方形形状を有する第１主面部１０ａ及び第２主面部１０ｂから構成されている。そして、第２主面部１０ｂに電磁波干渉防止シート１８が含まれていることから、特定の非接触型ＩＣカード９０Ａ（９０）を収納部１０に入れておけば、電磁波干渉防止シート１８が位置ずれすることなく、隣接する非接触型ＩＣカード９０Ｂ（９０）の干渉を抑制することができる。その結果、特定の非接触型ＩＣカード９０Ａの読み取りを確実に安心して行うことができる。
【００６１】
また、収納部１０を構成する第１主面部１０ａに切り欠き部１５が形成されていることから、ユーザが指で非接触型ＩＣカード９０Ａを出し入れすることが容易になる。さらに、第１主面部１０ａのうちの切り欠き部以外の領域で、非接触型ＩＣカードのカード情報が見られないようにすることができて、セキュリティの面でも利点がある。具体的には、非接触型ＩＣカード９０が定期（交通系カード）の場合、氏名、年齢、乗降駅などの個人情報を、本実施形態のＩＣカードスリーブケース１００（収納部１０）によって隠すことができる。
【００６２】
そして、非接触型ＩＣカード９０がクレジットカードの場合、本実施形態のＩＣカードスリーブケース１００によって、氏名、有効期限、クレジットカード番号、セキュリティーコードを隠すことができる。したがって、本実施形態のＩＣカードスリーブケース１００を用いた場合、店でクレジットカード（９０）を使う時は、（ＩＣカードスリーブケース１００なしでの）裸の状態のクレジットカード（９０）を店員に預けるよりも、ＩＣカードスリーブケース１００内のクレジットカード９０を用いて非接触で決済をする方が安全である。言い換えると、裸の状態のクレジットカード（９０）を店員に預けると、クレジットカード情報（氏名、カード番号、有効期限、セキュリティーコード）が認識されてしまって悪用される危険性がある。その一方で、本実施形態のＩＣカードスリーブケース１００内にクレジットカード９０を入れたまま、ＩＣカードスリーブケース１００の表面側（第１主面部１０ａ側）をカードリーダにかざせば、決済は完了するので安全である。なお、クレジットカードを手渡しで店員に渡す店であっても決済直前までＩＣカードスリーブケース１００内に入れてもらうように指示することにより、不特定多数の人に対してクレジットカードに記載されている重要事項（カード情報）を見せないようにしてもらうことができる。そして、非接触型ＩＣカード９０のクレジットカードによる決済の時でも、一瞬の決済とはいえ、目視だけでなくカメラの撮影によってカード情報を盗む人がいる可能性があるところ、本実施形態の構成では、ＩＣカードスリーブケース１００内にクレジットカード９０を入れたまま決済を行うことができるので、ＩＣカードスリーブケース１００でカード情報を十分に保護することができる。
【００６３】
加えて、本実施形態のＩＣカードスリーブケース１００では、電磁波干渉防止シートによって非接触型ＩＣカード９０を電磁的に保護することができ、犯罪的なスキャニングから、非接触型ＩＣカード９０を保護することができる効果がある。すなわち、本実施形態のＩＣカードスリーブケース１００のうち裏面側（第２主面部１０ｂ）を外に向けている限りは、ＩＣカードスリーブケース１００内の非接触型ＩＣカード９０のカード情報を、悪意あるスキャニングから守ることができる。さらには、本実施形態のＩＣカードスリーブケース１００（収納部１０）によって、物理的にも、非接触型ＩＣカード９０を保護することができる。すなわち、非接触型ＩＣカード９０の損傷を、ＩＣカードスリーブケース１００で守ることができる。非接触型ＩＣカード９０の損傷を防ぐ上でも、非接触型ＩＣカード９０のカード情報（クレジットカードの情報など）を保護する意味でも、切り欠き部１５の面積は、第１主面部１０ａの例えば３０％以下（または、１５％以下、または、１０％以下）に抑えるようにすることができる。さらには、非接触型ＩＣカード９０とクレジットカード等とを隣接させると、クレジットカード等の磁気ストライプ機能が不全になるケースが発生し得るが、本実施形態のＩＣカードスリーブケース１００を用いることで、そのような問題を解消することができる。
【００６４】
また、本実施形態の構成では、ＩＣカードスリーブケース１００に、図１及び図２に示した情報を記入（印字、ボールペン書き）することができる。これにより、広告２４（２４ａ、２４ｂ）などのビジネスを立ち上げることができるとともに、緊急時の連絡（２１、２２、２３）をスムーズに実行することができ、さらには、個人の状態（病気など：欄２５の記入事項）を発見者・病院などの人に伝えることができる。同様のことを、例えば、交通系の非接触型ＩＣカード（Ｓｕｉｃａなど）を用いて行うとしたら（普段から身に付けているカードの代表として）、その交通系の非接触型ＩＣカードに対して、必要事項をシールで貼り付けるしかない。交通系の非接触型ＩＣカードはしょっちゅう出し入れして、改札にタッチしたりするので、１ヶ月から数ヶ月もすると、その必要事項を記入したシールは、汚れたり、剥がれたりしています。そうすると、万が一の肝腎な時に使えなくなってしまう。一方、本実施形態のＩＣカードスリーブケース１００の場合、シールの時のような問題を回避することができ、万が一の時にもきちんと機能するので心強い。
【００６５】
図６は、本実施形態のＩＣカードスリーブケース１００の改変例を示している。図６に示したＩＣカードスリーブケース１００では、収納部１０における切り欠き部１５によって露出している領域２９に、情報（文字情報、図形情報など）が記載されている構成にしている。この領域２９は、非接触型ＩＣカード９０を抜いた時に表示される箇所であるので、インパクトを与えて、その人に対して注意喚起を促すことができる。例えば、この領域２９において、「裏面をご覧ください」のような文言（または、注意喚起するマーク）を記載しおくと、裏面の個人の病歴などを参照してくれる可能性が高まる。
【００６６】
図７は、本実施形態のＩＣカードスリーブケース１００の別の改変例を示している。図７に示した構成例では、切り欠き部１５の切り込み線１１は、曲線（円弧または湾曲線）１１ｃである。このような切り欠き部１５であってもよい。また、図７に示したＩＣカードスリーブケース１００では、図１及び図２に示したような印字（２０、２５など）は行っていないが、このような構成（無地、または、印刷なしの構成）であっても構わない。
【００６７】
上述した実施形態では、収納部１０の長方形状の長辺１２側に切り欠き部１５を形成した構成のものを示したが、これに限らない。収納部１０の長方形状の短辺１４側に切り欠き部１５を形成することも可能である。さらに、短辺１４側に切り欠き部１５が形成された構造を有するＩＣカードスリーブケース１００を、展開図にしたものを図８に示す。この展開図は、図４に示した展開図と同様であるので重複した説明は省略する。図４に示したものは長方形状の長辺１２側に切り欠き部１５が形成されているのに対して、図８に示したものは、短辺１２側に切り欠き部１５が形成されている。ここで、シート挟み部位１９の幅ｗ１は、図１に示した幅Ｌ（５５ｍｍ）とほぼ同じ（又は少し狭い）ものであり、切り欠き部１５の寸法（幅）を規定する幅ｗ２は、例えば２０ｍｍ（±５ｍｍ）である。
【００６８】
図９は、図４に示した収納部１０の展開図（一枚の展開用紙部材）の裏側を示している。第２主面部１０ｂは、電磁波干渉防止シート１８を挟んで収納するシート挟み部位１９と連続して繋がっている。図９では、シート挟み部位１９の上に、電磁波干渉防止シート１８を配置して、それを矢印５５に示すように折り込む。本実施形態における電磁波干渉防止シート１８は、磁性素材層１８ａと導電層１８ｂとが積層された多層膜から構成されている。そして、導電層１８ｂは、磁性素材層１８ｂよりも裏面側に位置するような構成となっている。図９に示した例では、シート挟み部位１９の上に磁性素材層１８ａが位置しており、そして、磁性素材層１８ａを覆うように導電層１８ｂが位置している。このようにすると、矢印５５に示すように折り込んだとき、導電層１８ｂが裏面側になり、磁性素材層１８ａは導電層１８ｂよりも表面側（または、ＩＣカード９０が挿入される側の方）に位置する。また、図９に示した例では、導電層１８ｂは、電磁波干渉防止シート１８の全面に形成されているが、磁性素材層１８ａを接着して固定する上で、電磁波干渉防止シート１８の周縁部の糊代（余白）１８ｃがあり、その糊代（余白）１８ｃの領域では、導電層１８ｂはシート挟み部位１９に接着固定されている。この糊代領域は、僅かな方がよく、本実施形態の構成例では、例えば３ｍｍ以下（例えば、２．５ｍｍ、２ｍｍ、１ｍｍ、０．５ｍｍなど）であることが好ましく、糊代（余白）１８ｃは、無し（０ｍｍ）または実質的に無し（例えば、０．２ｍｍ以下）のようなものも好ましい。
【００６９】
図１０は、図３に示した平面図に相当するが、図９に示した電磁波干渉防止シート１８の構成を示している。図１１は、図１０に示した電磁波干渉防止シート１８を含むＩＣカードスリーブケース１００（収納部１０）の断面構成を模式的に示している。なお、説明をわかりやすくするために、図１１の各層の厚さ・寸法は正確なものではなく、加えて、図９に示した側面側の貼付部（のりしろ）１７の部分は省略している。そして、図１２は、図１０に示した導電層１８ｂの一部を剥がして、磁性素材層１８ａの一部を露出させた状態を示している。
【００７０】
図１１に示すように、本実施形態のＩＣカードスリーブケース１００は、裏面８２側から、第２主面部１０ｂ（裏面部）、導電層１８ｂ、磁性素材層１８ａ、シート挟み部位１９、第１主面部１０ａ（表面部）が位置している。ここでは、第１主面部１０ａ（表面部）の上面を、表面８１側としている。シート挟み部位１９と第１主面部１０ａ（表面部）との間には、ＩＣカード９０が挿入されるカード挿入隙間（カード収納領域）５０が位置している。
【００７１】
図１１に示した構成例では、ＩＣカードスリーブケース１００の厚さは、中央部で約０．５５ｍｍで、最厚部で約０．８ｍｍである。本実施形態の構成では、ＩＣカードスリーブケース１００の厚さは、最厚部で１ｍｍ以下であることが好ましい。すなわち、本実施形態のＩＣカードスリーブケース１００の厚さは非常に薄い。電磁波干渉防止シート１８の厚さ（導電層１８ｂ、磁性素材層１８ａの合計の厚さ）は、約０．２ｍｍである。本実施形態の構成では、電磁波干渉防止シート１８の厚さは０．３ｍｍ以下（または０．２ｍｍ以下）であることが好ましい。スリーブ素材の厚さ（すなわち、第２主面部１０ｂ（裏面部）、シート挟み部位１９、第１主面部１０ａ（表面部）は、約０．１ｍｍである。これらの各層の厚さは例示であるが、本実施形態の構成の薄さが容易に理解できるものと思われる。なお、図３に示した電磁波干渉防止シート１８の厚さは薄いもの（例えば、０．５ｍｍ以下、または、０．３ｍｍ以下、０．２ｍｍ以下）である。図３に示した電磁波干渉防止シート１８の厚さの一例は、０．７ｍｍ〜１ｍｍのものを用いても構わないが、図３に示したものでも薄いものの方が好ましい。
【００７２】
本実施形態の導電層１８ｂは、導電性を有する層（例えば金属層）であるが、この例では、アルミ箔を用いている。具体的には、導電層１８ｂは、アルミニウムまたはアルミニウム合金から構成されたアルミ箔である。図示した例では、導電層１８ｂのうちの、磁性素材層１８ａ側の面（界面８５側）に接着機能が付与されたもの（接着層、または、粘着層）を用いている。この構成においては、導電層１８ｂの接着面８５によって、磁性素材層１８ａを接着固定でき、そして、糊代（余白）１８ｃの箇所において、導電層１８ｂの一部（周縁固定箇所１８ｄ）をスリーブ素材（シート挟み部位１９）に固定することができる。このようにして、スリーブ素材（シート挟み部位１９）の上で、磁性素材層１８ａを覆いながら導電層１８ｂ（アルミ箔）を位置づけることができる。磁性素材層１８ａは、透磁率が高い材料（例えば、フェライトのような軟磁性材料）である。この例では、磁性素材の粒子がシート状になっているものを使用しているが、他の形態のものでもよい。図１１に示した例では、厚さを薄くする観点・コスト低減の面などから、導電層１８ｂが１層、磁性素材層１８ａが１層からなる電磁波干渉防止シート１８を用いている。
【００７３】
図１３は、図１０に示した平面図に相当するが、図１０に示した電磁波干渉防止シート１８の構成において糊代（余白）１８ｃが無し（０ｍｍ）または実質的に無し（例えば、０．２ｍｍ以下）のものを示している。図１４は、図１３に示した電磁波干渉防止シート１８を含むＩＣカードスリーブケース１００（収納部１０）の断面構成を模式的に示している。この例では、磁性素材層１８ａの端部は、電磁波干渉防止シート１８の端部まで到達している。ここでの「磁性素材層１８ａの端部が、電磁波干渉防止シート１８の端部まで到達している」とは、磁性素材層１８ａの表面（側面）が必ずしも露出してなくてもよく、実質的に糊代（余白）１８ｃがないことを意味している。例えば、磁性素材層１８ａの端部から磁性素材が擦って落ちてしまわないように、接着剤または樹脂材料などが存在していても構わない。なお、電磁波干渉防止シート１８の端部まで到達してて磁性素材層１８ａの表面（側面）が露出していても、電磁波干渉防止シート１８の外側にはスリーブ素材（例えば、スリーブ素材１０ａ、１７など）が位置しているので、すなわち、スリーブ素材でカバーされているので磁性素材層１８ａの磁性素材が擦れて落ちてしまうことは防止されている。
【００７４】
さらに説明すると、図１３に示した電磁波干渉防止シート１８（及び、磁性素材層１８ａ）は、ＩＣカード９０の寸法と同等サイズ（実質的に同一サイズ）であり、また、周縁に、磁性素材層１８ａを重ねてとめるシール部分（糊代１８ｃ、１８ｄ）も存在しない。そして、磁性素材層１８ａを構成する磁性素材に接着素材（接着剤）をコンパウンドすることで、１シートずつシール加工する必要がなくなるという利点があります。すなわち、図１０に示した電磁波干渉防止シート１８を作製する際は、磁性素材層１８ａを覆うように導電層１８ｂ（アルミ箔）の接着面（８５）をスリーブ素材（１９）貼り付ける工程（シール加工工程）が必要な場合があったが、その工程を回避することができる。また、磁性素材層１８ａを広い面積で成形して、後加工でカットして作製することが可能であるので、シートの加工効率も高めることができる。そして、詳細は後述するが、この構造によって、より効率的に端面から磁束を通過させることができるため、より安定した通信（交信）が可能となる。さらに補足して説明すると、ＩＣカードスリーブケース１００の寸法は、ＩＣカード７０の寸法と同じであり、磁性素材層１８ａの寸法は、電磁波干渉防止シート１８の寸法（および導電層１８ｂの寸法）と同じであって、ＩＣカード７０の寸法の実質的に同じであることから、電磁波干渉防止シート１８（磁性素材層１８ａ）の端面から効率良く磁束を通過させることができ、その結果、より安定した通信が可能となる。
【００７５】
次に、本実施形態のＩＣカードスリーブケース１００を使用した実験例および非接触ＩＣカード９０の読み取り（交信状態）について説明する。図１５は、本実施形態の電磁波干渉防止シート１８（１８ａ、１８ａ）を模式的に示している。ＩＣカードスリーブケース１００の状態では、導電層１８ｂ（アルミ箔）が裏面８２側に位置し、導電層１８ｂに対して磁性素材層１８ａ（透磁率が高い層）が表面８１側に位置する。ＩＣカード９０は、図示した例（紙面）では、磁性素材層１８ａの下側（表面８１側）に配置される。
【００７６】
図１６は、非接触ＩＣカード９０のコイル９２（ＩＣカード内コイル）と、電磁コイル９７を備えたカードリーダ９５との交信状態（正常状態）を模式的に示している。この正常状態の時は、カードリーダ９５から発信された磁束７０がＩＣカード９０のコイル９２内を通過することにより、誘起電力が発生する。それによって、ＩＣカード９０内のＩＣチップが起動して、カードリーダとの交信が開始される。
【００７７】
図１７は、非接触ＩＣカード９０の背面（後ろ）に、導電性素材（例えば金属シート）１８ｂが近接している構成を示している。このときは読み取りエラーが生じやすい。具体的には、ＩＣカード９０のコイル９２に導電性素材（金属シート）が近接することで、磁束７０に対して発生する渦電流による反作用磁束により、磁束が減衰する（磁束「７２」のイメージ参照）。それに伴って、ＩＣカード９０が起電せずに交信が開始できず（無反応）、読み取りエラーとなる。
【００７８】
図１８は、非接触ＩＣカード９０の背面（後ろ）に、磁性素材層１８ａを配置し、その後ろに導電層１８ｂを配置したときの状態を示している。このときは、導電層１８ｂが近接していてもエラーが生じにくく（正常状態になりやすく）、機能復帰する。具体的には、ＩＣカード９０と導電性素材（導電層１８ｂ）が近接していても、ＩＣカード９０と導電層１８ｂとの間に磁性素材層１８ａが介在することにより、磁束の抜け道ができ（磁束「７５」のイメージ参照）、コイル９２内を磁束７０が通過することにより、コイル９２に誘起電力が発生し，その結果、ＩＣチップ９０が交信を開始する。言い換えると、本実施形態の電磁波干渉防止シート１８（１８ａ、１８ａ）は、図１８に示した機能を発揮するものである。
【００７９】
非接触ＩＣカード９０の交信実験の前提として、Ｆｅｌｉｃａ方式のものより、ＴｙｐｅＡ／Ｂ方式のものの方が、エラーが生じやすいことがある。いままでは、Ｆｅｌｉｃａ方式のものが日本では大多数であったので交信の問題が少なかった場合でも、日本においてＴｙｐｅＡ／Ｂ方式のものが普及するに従って、交信の問題は多くなる可能性があり、その可能性は年々大きくなっている。さらに説明すると、海外で主流のＴｙｐｅＡ／Ｂ方式のものは、通信システムの反応が重い（遅い）と言われており、暗号処理の複雑さやチップの必要電力が違ったりして条件が複雑になりがちである。また、小売店やサービス業に設定されている機材のカードリーダの使用・出力に大きく影響されることが多く、例えばコンビニエンスストアなどに設定された微弱電波のカードリーダと、反応が重いＩＣカードとの組み合わせの場合、起電力不足で反応しきれない（エラーが生じる）場合が発生する可能性が高い。そのような可能性などを考慮すると、より効率的にカードリーダと交信できる構造（ＩＣカードスリーブケースの構造）が求められる。
【００８０】
本件の実験では、財布に３枚の異なる非接触ＩＣカード９０を所定の位置に重ねて入れて、最前面に、対象ＩＣカード（読み取って欲しいＩＣカード）を配置した状態で、財布を閉じたまま非接触の決済を行った。非接触決済の試験は、以下のテストＡ〜Ｃの端末（カードリーダ）である。
（ａ）テストＡ：大阪メトロ（大阪地下鉄）・ＪＲの改札（Ｆｅｌｉｃａ）
（ｂ）テストＢ：イオンショッピングセンタ（Ｆｅｌｉｃａ）
（ｃ）テストＣ：ローソン（コンビニエンストア）（ＴｙｐｅＡ／Ｂ）
【００８１】
事前検証として、ＩＣカードスリーブ（１００）を使用せずに、ＩＣカード本体のみで実験した結果を示す。
（ａ）テストＡ：成功２回／９回（成功確率２２％）
（ｂ）テストＢ：成功１回／５回（成功確率２０％）
この試験（事前検証）では、複数のＩＣカードの重なりにより、電圧不足や認証不能でエラー（読み取りエラー・交信エラー）が頻発した。
【００８２】
第１サンプルとして、磁性素材層１８ａなしで、導電層１８ｂのＩＣカードスリーブを用いて実験を行った（図１７に近い例）。
（ａ）テストＡ：成功０回／３回（成功確率０％）
（ｂ）テストＢ：成功０回／２回（成功確率０％）
この試験では、磁束減衰による遮断で交信（通信）が不可であった（読み取りエラー・交信エラーのみ）。
【００８３】
第２サンプルとして、図１０に示した電磁波干渉防止シート１８を備えたＩＣカードスリーブ１００を用いて実験を行った。具体的には、磁性素材層１８ａありで、導電層１８ｂありで、糊代１８ｃが２ｍｍの電磁波干渉防止シート１８を備えたものを使用した。
（ａ）テストＡ：成功１４回／１５回（成功確率９３％）
（ｂ）テストＢ：成功４回／５回（成功確率８０％）
（ｃ）テストＣ：成功０回／５回（成功確率０％）
この試験では、Ｆｅｌｉｃａ方式での成功確率が高く、これくらいの読み取りエラー・交信エラーは許容される可能性が高い。一方で、ＴｙｐｅＡ／Ｂ方式のものでは決済はできなかった。
【００８４】
第３サンプルとして、図１３に示した電磁波干渉防止シート１８を備えたＩＣカードスリーブ１００を用いて実験を行った。具体的には、磁性素材層１８ａありで、導電層１８ｂありで、糊代１８ｃが無し（０ｍｍ）の電磁波干渉防止シート１８を備えたものを使用した。
（ａ）テストＡ：成功１０回／１０回（成功確率１００％）
（ｂ）テストＢ：成功５回／５回（成功確率１００％）
（ｃ）テストＣ：成功５回／５回（成功確率１００％）
この試験では、Ｆｅｌｉｃａ方式およびＴｙｐｅＡ／Ｂ方式を含めて全てのテストで問題なく決済が成功した。
【００８５】
したがって、図１３に示した電磁波干渉防止シート１８（糊代１８ｃが無いもの、又は、実質的にないもの）を備えたＩＣカードスリーブ１００を用いることにより、確実に、非接触ＩＣカードが３枚重ねであっても（そのうち、最前面に、対象ＩＣカード（読み取って欲しいＩＣカード）をＩＣカードスリーブ１００に入れて配置）、非接触の決済を行うことができる。この実験からわかるとおり、磁性素材層１８ａの端部が電磁波干渉防止シート１８の端部まで到達するように全面に形成されている構成のものが、図１８に示した様子のように磁束の抜け道ができて（磁束「７５」のイメージ参照）、ＴｙｐｅＡ／Ｂ方式のであっても、ＩＣチップ９０が交信を確実に行うことができる。
【００８６】
本実施形態のＩＣカードスリーブケース１００では、電磁波干渉防止シート１８が、磁性素材層１８ａと導電層１８ｂとが積層された多層膜から構成されており、導電層１８ｂは磁性素材層１８ａよりも裏面側に位置している。この導電層１８ｂによって、後ろに配置される非接触ＩＣカード９０の干渉を確実に防止できるとともに、スキミングなどの被害も抑制することができる。さらに、第１主面部１０ａ及び第２主面部１０ｂの長方形形状の寸法が非接触型ＩＣカード９０の寸法と同一であり、電磁波干渉防止シート１８において、磁性素材層１８ａは、電磁波干渉防止シート１８の全面に形成されている。したがって、磁性素材層１８ａが介在することで磁束の抜け道（７５）ができることにより、特定の非接触型ＩＣカード９０の読み取りを確実に行うことができる。さらに、電磁波干渉防止シート１８における磁性素材層１８ａの端部が電磁波干渉防止シート１８の端部まで到達している構成の場合は、Ｆｅｌｉｃａ方式よりも読み取り精度の悪いＴｙｐｅＡ／Ｂ方式の非接触型ＩＣカード／カードリーダに使っても、磁性素材層１８ａが介在することによる磁束の抜け道（７５）ができることによって、確実に何回でも、非接触決済を成功させることができる。
【００８７】
図１９は、カード収納箇所６２を複数備えた財布６０を示している。図１９に示した財布６０は、非接触型ＩＣカード９０の寸法のものしか入れることができないカード収納箇所６２が設けられているものである。図示した例では、本実施形態のＩＣカードスリーブケース１００に非接触型ＩＣカード９０Ａを挿入したものを、最前列のカード収納箇所６２に配置している。その後ろのカード収納箇所６２には、非接触型ＩＣカード９０Ｂ、非接触型ＩＣカード９０Ｃが配置されている。本実施形態のＩＣカードスリーブケース１００を用いることにより、そこに挿入される非接触型ＩＣカード９０（９０Ａ）の位置ずれを防止することができる（それによって近接する非接触型ＩＣカードの干渉を適切に防止でき）。そして、本実施形態のＩＣカードスリーブケース１００は、非接触型ＩＣカード９０と同一寸法を有しているので、典型的な財布（すなわち、非接触型ＩＣカードの寸法のものしか入れることができないカード収納箇所を有するもの）に入れることができるので、（特殊な財布でなく）財布の種類を問わず使うことができて便利である。
【００８８】
なお、上述の実施形態では、ＩＣカードスリーブケース１００の収納部１０によってＩＣカード９０の電磁波を遮断（又は透過）させるようにしたが、そのような形態ではなく、ＩＣカード９０に近接（隣接）するスマートフォンの方を、そのスマートフォンの寸法に合わせた収納部１０から構成された収納ケースに入れるようにしてもよい。言い換えると、上述したような本実施形態の収納部１０の構造を、スマートフォン（または、電磁波を発するモバイル機器）の寸法にあわせたものにして、その収納部１０にスマートフォン（または、モバイル機器（例えば、携帯電話など））を収納して、電磁波を遮断（又は透過）することができる。スマートフォン（または、モバイル機器）がＩＣカード９０と隣接すると、ＩＣカード９０が認識されなくなる可能性が高まるが、本実施形態の収納部１０から構成された収納ケースに、スマートフォン（モバイル機器）を入れることにより、そのような認識が悪くなる問題を解消することができる。
【００８９】
以上、本発明を好適な実施形態により説明してきたが、こうした記述は限定事項ではなく、勿論、種々の改変が可能である上述した実施形態または改変例の構成または手法は相互に適用可能である。例えば、図７に示した収納部１０に、図１及び／又は図２に示した情報印字（２０、２５など）を行うことも可能である。また、切り欠き部１５の形状・位置などは例示であり、上述した実施形態の構成例以外のものであっても構わない。例えば、切り欠き部１５は１つあれば十分であるが、２つ設けることを禁止するものではない。一例としては、図２に示した構成の第２主面部１０ｂにおいて、図１に示した箇所と同じようなところ（位置・形状）に切り欠き部１５を形成した構造にしてもよい。また、その例において、図２に示した構成の第２主面部１０ｂにおいて、挿入開口部のある辺１２（ここでは、長辺）に切り欠き部１５を形成して、その切り欠き部１５の構造を、図１に示した切り欠き部１５の位置、及び／又は、形状を異なるようにしてもよい。これらの改変は、縦型のＩＣカードスリーブケース１００（図８に示したもの）に適用することも可能である。
【００９０】
なお、実用新案登録第３１５７０５２号公報には、磁気防御及びスキミング防止機能付きカードケースが開示されている。しかしながら、このカードケースは、側縁部（３辺）を溶着して接合しているものであるので、ポケット部１２は、「非接触型ＩＣカードの寸法」よりも大きいものであり、すなわち、「非接触型ＩＣカードの寸法と同一」のものではない。また、実用新案登録第３１５７０５２号公報には、本発明の実施形態の構成要素である「電磁波干渉防止シート１８（磁性素材層１８ａと導電層１８ｂとが積層された多層膜）」は開示されていない。
【産業上の利用可能性】
【００９１】
本発明によれば、干渉を防止して、特定の非接触ＩＣカードを確実に認識させることができるＩＣカードスリーブケースを提供することができる。
【符号の説明】
【００９２】
１０   収納部（スリーブ部）
１０ａ 第１主面部
１０ｂ 第２主面部
１１   切り込み線
１１ａ 傾斜線部
１１ｂ 平行線部
１１ｃ 湾曲線
１５   切り欠き部
１６   差し込みフラップ部
１８   電磁波干渉防止シート
１８ａ  磁性素材層
１８ｂ  導電層
１９   シート挟み部位
５０  カード挿入隙間（カード収納領域）
６０  財布
６２  カード収納箇所
９０   非接触型ＩＣカード
９５  カードリーダ
１００ ＩＣカードスリーブケース
１１０ ＩＣカードセパレータ
１２０ カードケース
【図１】
2021015292.tif 000003
【図２】
2021015292.tif 000004
【図３】
2021015292.tif 000005
【図４】
2021015292.tif 000006
【図５】
2021015292.tif 000007
【図６】
2021015292.tif 000008
【図７】
2021015292.tif 000009
【図８】
2021015292.tif 000010
【図９】
2021015292.tif 000011
【図１０】
2021015292.tif 000012
【図１１】
2021015292.tif 000013
【図１２】
2021015292.tif 000014
【図１３】
2021015292.tif 000015
【図１４】
2021015292.tif 000016
【図１５】
2021015292.tif 000017
【図１６】
2021015292.tif 000018
【図１７】
2021015292.tif 000019
【図１８】
2021015292.tif 000020
【図１９】
2021015292.tif 000021
【図２０】
2021015292.tif 000022
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
ＩＣカードスリーブケースであって、
非接触型ＩＣカードを収納する収納部と、
前記収納部の一部に形成された切り欠き部と
を備え、
前記収納部は、
表面側に位置する第１主面部と、
前記表面側に対する裏面側に位置する第２主面部と
から構成されており、
前記第１主面部及び前記第２主面部は、前記非接触型ＩＣカードの寸法に対応した長方形形状を有しており、
前記収納部の形状を規定する前記長方形形状の長辺及び短辺のうちの一方の辺は、前記非接触型ＩＣカードが挿入される挿入開口部となっており、
前記裏面側に位置する前記第２主面部には、電磁波干渉防止シートが含まれており、
前記挿入開口部となっている前記辺において、前記切り欠き部が形成されており、
前記電磁波干渉防止シートは、軟磁性材料であるフェライトから構成された磁性素材層と導電層とが積層された多層膜から構成されており、
前記導電層は、前記磁性素材層よりも前記裏面側に位置しており、
前記第１主面部及び前記第２主面部の前記長方形形状の寸法は、前記非接触型ＩＣカードの寸法と同一であり、
前記電磁波干渉防止シートにおいて、前記フェライトから構成された前記磁性素材層は、前記電磁波干渉防止シートの全面に形成されており、
前記電磁波干渉防止シートは、１層の前記磁性素材層と、１層の前記導電層とから構成されており、
前記磁性素材層の端部は、前記電磁波干渉防止シートの端部まで到達している、ＩＣカードスリーブケース。
【請求項２】
前記ＩＣカードスリーブケースは、ＴｙｐｅＡ／Ｂ方式のクレジットカードに用いられるものであり、
前記導電層は、アルミニウムまたはアルミニウム合金から構成されたアルミ箔であり、
前記電磁波干渉防止シートにおいて、前記磁性素材層と前記導電層との界面は接着面となっている、請求項１に記載のＩＣカードスリーブケース。
【請求項３】
前記収納部は、一枚の展開用紙部材から構成されており、
前記第２主面部は、前記電磁波干渉防止シートを挟んで収納するシート挟み部位と連続して繋がっている、請求項１または２に記載のＩＣカードスリーブケース。
【請求項４】
前記第１主面部は、三角形状の差し込みフラップ部と連続して繋がっている、請求項３に記載のＩＣカードスリーブケース。
【請求項５】
前記収納部は、前記非接触型ＩＣカードのクレジットカード情報を隠すものである、請求項１から４の何れか一つに記載のＩＣカードスリーブケース。
【請求項６】
前記第１主面部は、前記収納部に収納された前記非接触型ＩＣカードの電磁波を透過させる機能を有し、
前記第２主面部は、前記収納部に収納された前記非接触型ＩＣカードの電磁波を遮断する機能を有し、
前記挿入開口部となっている前記辺を除く辺は塞がっており、
前記切り欠き部は、前記収納部に収納された前記非接触型ＩＣカードの一部を露出させるものであり、
前記切り欠き部は、前記挿入開口部となっている前記辺の中央の位置に形成されている、請求項１から５の何れか一つに記載のＩＣカードスリーブケース。
【請求項７】
前記切り欠き部は、前記長方形形状の前記長辺に形成されている、請求項１から６の何れか一つに記載のＩＣカードスリーブケース。
【請求項８】
前記切り欠き部は、前記挿入開口部となっている前記辺に形成された台形形状を有している、請求項１から７の何れか一つのＩＣカードスリーブケース。
【請求項９】
前記収納部における前記切り欠き部によって露出している領域には、文字情報および図形情報の少なくとも一方が記載されている、請求項１から８の何れか一つに記載のＩＣカードスリーブケース。
【請求項１０】
前記第１主面部および前記第２主面部の少なくとも一方には、文字情報および図形情報の少なくとも一方が記載されている、請求項１から９の何れか一つに記載のＩＣカードスリーブケース。
【請求項１１】
請求項１から１０の何れか一つに記載のＩＣカードスリーブケースの製造方法であって、
ＩＣカードスリーブケースの収納部を構成する展開用紙部材を用意する工程と、
前記展開用紙部材を折り畳むとともに、電磁波干渉防止シートを挿入する工程と
を含む、ＩＣカードスリーブケースの製造方法。
【国際調査報告】
2021015292.tif 000023
2021015292.tif 000024
2021015292.tif 000025
2021015292.tif 000026
2021015292.tif 000027
2021015292.tif 000028